(57)【要約】      （修正有）【課題】多機能棚の改良構造を提供する。【解決手段】棚体は、天板、側板、底板、ローラ、開閉扉、親子棚、複数の引き出しによって構成される。頂部には天板１が、両側と後側には側板２が、底部には底板３が位置する。棚体の移動用に、底板３下方にローラ４が配設されている。棚体の上段には開閉扉５が位置し、使用時には上方に押し上げて開放し、不使用時には垂直に降ろして閉鎖する。親子棚６は棚体の中段に位置し、子板６２と親板６１により構成される。親板６１は中実の板片で、両側に案内レール６１１を設置し、側板内側の棚座体２３が設置する滑座と摺動自在に係合する。更に、棚体の下段には、上層引き出し７、中層引き出し８、下層引き出し９が配置され、棚体底部には、コンセント１０、延長線盤１１が設置してある。棚体の底板底部にはコンピュータ周辺機器を収容するための収納箱１２が配設される。【選択図】図４
0003126128.tif 000002
【実用新案登録請求の範囲】
【請求項１】
多機能棚体の改良構造であって、天板、側板、底板、ローラ、開閉扉、親子棚及び複数の引き出しを有する棚体で構成され、前記親子棚は可動式で前記棚体前面側から引き出しおよび収納可能に設けられた親板と、前記親板の下面に配設され、親板が引き出された時に、親板の側方に引き出し可能に設けられた子板からなることを特徴とする多機能棚体の改良構造。
【請求項２】
前記親子棚の子板は、中実の板片で、両側にレールが設置され、前記親板下方両側に設置した側壁内の滑座と摺動可能になっていることを特徴とする請求項１に記載の多機能棚体の改良構造。
【請求項３】
前記底板上にコンセント、延長線盤を設置し、電源使用を可能にしたことを特徴とする請求項１に記載の多機能棚体の改良構造。
【請求項４】
前記底板上に収納箱を設置し、コンピュータ周辺の各種線材、アダプター等の電気器材を収納可能としたことを特徴とする請求項１に記載の多機能棚体の改良構造。
【考案の詳細な説明】
【技術分野】
【０００１】
本考案は、棚体の構造に関するものであって、特に、多機能棚体の構造に関するものである。
【背景技術】
【０００２】
公知の多機能棚体は単一の棚の延伸設計であり、そこにノート型パソコンなどを載置すると、他に読み書きしたりするための空間を提供することができず、実際の使用上において極めて不便である。
【考案の開示】
【考案が解決しようとする課題】
【０００３】
本考案は、棚の機能を拡充するために、親子棚を分離させる二方向延伸設計で、ノート型パソコンの載置空間（親板）を有する以外に、読み書きができる平面空間（子板）を備え、不使用時、子板を完全に親板下方に収納し、親板は棚中に収納され、空間を節約することができるようにしたことを目的とする。
【課題を解決するための手段】
【０００４】
本考案の請求項１の考案は、多機能棚体の改良構造であって、天板、側板、底板、ローラ、開閉扉、親子棚及び複数の引き出しを有する棚体で構成され、前記親子棚は可動式で前記棚体前面側から引き出しおよび収納可能に設けられた親板と、前記親板の下面に配設され、親板が引き出された時に、親板の側方に引き出し可能に設けられた子板からなることを特徴とする。
【０００５】
請求項２の考案は、請求項１に記載の多機能棚体の改良構造において、前記親子棚の子板は、中実の板片で、両側にレールが設置され、前記親板下方両側に設置した側壁内の滑座と摺動可能になっていることを特徴とする。
請求項３の考案は、請求項１に記載の多機能棚体の改良構造において、前記底板上にコンセント、延長線盤を設置し、電源使用を可能にしたことを特徴とする。
請求項４の考案は、請求項１に記載の多機能棚体の改良構造において、前記底板上に収納箱を設置し、コンピュータ周辺の各種線材、アダプター等の電気器材を収納可能としたことを特徴とする。
【考案の効果】
【０００６】
本考案により、親子棚の延伸使用と収納の便利さが達成される。
【考案を実施するための最良の形態】
【０００７】
以下本考案の実施の形態について、図面を基に実施例を説明する。
【実施例】
【０００８】
図１は考案の多機能棚体の改良構造を示す正面図であり、この多機能棚体は、天板１、左右側および背面側に配設される側板２、底板３、前記底板の下面に設置された移動用ローラ４から棚体が形成され、前記天板１は棚体の頂部に位置する。
【０００９】
前記側板２は棚体の両側と背面側に配設され、前記底板３は棚体の底部に位置する。ローラ４は前記底板３の下面に取り付けられて棚体の移動に用いる。  
左右両側の側板２の上端には、フック２１が設けられ、軽いものが掛けられるようになっている。
【００１０】
前記棚体は上下方向に移動可能な開閉扉５と、上下方向の中央部に親子棚６が設けられ、親子棚６の下方には、上層引き出し７、中層引き出し８及び下層引き出し９が配設されている。前記棚体の底部の底板３には電源接続用のコンセント１０及び延長線盤１１を有しており、商用電源使用を可能にしている。  
また、棚体の底部の底板３上に、更に、収納箱１２を設置し、コンピュータの周辺機器の各種線材、アダプター等を収納できるようになっている。
【００１１】
図２で示されるように、棚体の最上段の開閉扉５は、使用時に、開閉扉５下端に設けた取手を一旦垂直下方に引き開閉扉５と棚体との係合を解除して後、押し上げて開放し、また、垂直に降ろして閉鎖するようになっている。前記側板２上のフック２１に近接する箇所には凹部２２が設けられており、棚体の移動・運送時に用いるものである。
【００１２】
図３で示されるように、前記開閉扉５の下端に設けた取手をもって解放することで、親子棚６中の親板６１構造の位置関係が引きだせるようになっている。
【００１３】
棚体の底部の底板３上に設置される収納箱１２は、箱本体１２１、滑槽１２２及びねじ１２３等の部材からなる。箱本体１２１両側にそれぞれ翼板１２１１が形成されており、両翼板１２１１は、ねじ１２３とナット１２４により底板３のコ字形状の滑槽１２２に取り付けられる。前記両翼板１２１１は、前記箱本体１２１を摺動し、収納箱１２の開閉動作を行うことができる。前記開閉動作は、箱本体１２１前後両側のそれぞれに設けた開孔１２１２を形成することで、箱本体１２１開放時に、前記開孔１２１２に指をかけて取り出すことができる。
【００１４】
図４で示されるように、親子棚６は、棚体の中段に位置し親板６１と子板６２により構成され、母板６１は中実の一枚板からなる板片で、両側にレール６１１が設けられ、該レール６１１は、側板２内側の棚座体２３に設置された滑座６１２と前後（正面と背面）方向の摺動可能に係合されている。前記子板６２は、中実の一枚板からなる板片で、両側にレール６２１が設けられており、親板６１下面の前後両側に左右方向に向けて設置された側壁６２３内の滑座６２２（図７で示される）と左右方向の摺動を可能に係合している。
【００１５】
使用時、まず親板６１を棚体の前面側に水平に引きだして定位させ、次に子板６２を前記親板６１から左右方向に引き出して、親板６１の延伸使用空間とすることができる。不使用時には、子板６２を親板６１の下面側に収納してから親板６１を棚体の後面（背面）側に水平に押し戻す。
前記底板３下方には収納箱１２が設けられており、使用時には棚体の側方に引き出し、収容物を収納することができる。
【００１６】
図５で示されるように、開閉扉５は側板により構成される前面開口部の内縁および天板左右内端部に配設した案内レールに側部が摺動自在に係合し、垂直方向に上下させることで開閉が行えるようになっている。
【００１７】
底板３下方のコンセント１０、延長線盤１１、及び収納箱１２の配置関係は以下のようである。
【００１８】
図６は図３のＡ−Ａ線に沿った断面で、側板２内側、棚座体２３、親板６１間の関係をはっきり示示している。
レール６１１は親板６１の両側に位置し、滑座６１２は両側の側板２内側の棚座体２３上に設置され、親板６１と側板２の棚座体２３間の相対滑動運動は、レール６１１と滑座６１２間で行われる。
【００１９】
図７は、図４のＢ−Ｂ線に沿った断面図で、親板６１と子板６２両者の構造関係をはっきり示す。
レール６２１は子板６２両側に位置し、滑座６２２は親板６１下方両側に設置された側壁６２３の内側上に設置され、子板６２と側壁６２３間の相対滑動運動は、レール６２１と滑座６２２間で行われる。
【００２０】
上述のように、本考案は、特に独立式分離可能な可動設計である親子棚で、棚座体２３と側壁６２３に設けた案内レールと親板６１と子板に配設した案内レールとの摺動可能な移動により多機能棚の拡充性と収納の便利さを達成することができる。
【００２１】
本考案では好ましい実施例を前述の通り開示したが、これらは決して本考案に限定するものではなく、当該技術を熟知する者なら誰でも、本考案の精神と領域を脱しない範囲内で各種の変更や修正を加えることができ、従って本考案明の保護範囲は、実用新案登録請求の範囲で指定した内容を基準とする。
【図面の簡単な説明】
【００２２】
【図１】本考案の多機能棚体の構造の実施例を示す正面図である。
【図２】本考案の多機能棚体の構造の実施例を示す斜視図である。
【図３】本考案の多機能棚体の構造の実施例を示す一部分解斜視図である。
【図４】本考案の多機能棚体の構造の実施例の使用状態を示す斜視図である。
【図５】本考案の多機能棚体の構造の実施例における一部透視斜視図である。
【図６】本考案の多機能棚体の構造の実施例における親子棚の図３のＡ−Ａ線に沿った断面図である。
【図７】本考案の多機能棚体の構造の実施例における親子棚の図４のＢ−Ｂ線に沿った断面図である。
【符号の説明】
【００２３】
１        天板
２        側板  
２１      フック
２２      凹部
２３      棚座体
３        底板
４        ローラ
５        開閉扉
６        親子棚
６１        親板
６１１      レール
６１２      滑座
６２        子板
６２１      レール
６２２      滑座
６２３      側壁
７          上層引き出し
８          中層引き出し
９          下層引き出し
１０        コンセント
１１        延長線盤
１２        収納箱
１２１      箱本体
１２１１    翼板
１２１２    開孔
１２２      滑槽
１２３      ねじ
１２４      ナット
【図１】
0003126128.tif 000003
【図２】
0003126128.tif 000004
【図３】
0003126128.tif 000005
【図４】
0003126128.tif 000006
【図５】
0003126128.tif 000007
【図６】
0003126128.tif 000008
【図７】
0003126128.tif 000009